(57)【要約】【課題】  排水口内に流入した毛髪を十分に捕捉することができる洗面台用排水栓を提供すること。【解決手段】  排水口を封水する封水部材１２と、封水部材１２の下方に垂設された垂設ロッド１４と、垂設ロッド１４に保持されたヘアキャッチャー１６とを備えた洗面台用排水栓であって、ヘアキャッチャー１６が、垂設ロッド１４が挿通される環状体２６と、環状体２６の外周面から放射状に突出して設けられた複数のリブ２８と、各リブ２８に環状体２６の中心から一定の距離をもって配設され、間欠リングを構成するリング片３０，３２とを有する洗面台用排水栓１０である。【選択図】図１
2005074040.tif 000002
【特許請求の範囲】
【請求項１】
排水口を封水する封水部材と、該封水部材の下方に垂設された垂設ロッドと、該垂設ロッドに保持されたヘアキャッチャーとを備えた洗面台用排水栓であって、
前記ヘアキャッチャーが、前記垂設ロッドが挿通される環状体と、該環状体の外周面から放射状に突出して設けられた複数のリブと、各リブに環状体の中心から一定の距離をもって配設され、間欠リングを構成するリング片とを有することを特徴とする洗面台用排水栓。
【請求項２】
各リブに２以上のリング片が設けられ、複数の間欠リングを構成したことを特徴とする請求項１に記載の洗面台用排水栓。
【請求項３】
リング片が掛止突起を有することを特徴とする請求項１又は２に記載の洗面台用排水栓。
【請求項４】
ヘアキャッチャーの上方に、微生物の発育抑制物質を含有する固形薬剤を収容した薬剤収容部を備えたことを特徴とする請求項１〜３のいずれかに記載の洗面台用排水栓。
【発明の詳細な説明】
【技術分野】
【０００１】
本発明は、ヘアキャッチャーを備えた洗面台用排水栓に関する。
【背景技術】
【０００２】
従来より、図８に示すようなヘアキャッチャー１００を備えた洗面台用排水栓１０２が知られている（例えば、特許文献１参照。）。洗面台用排水栓１０２のヘアキャッチャー１００は、排水口を封水する封水部材１０４の下方に垂設された垂設ロッド１０６に嵌装される筒状体１０８と、筒状体１０８の上部及び下部に設けられる車輪状のヘアキャッチャー本体１１０ａ，１１０ｂとで構成される。かかるヘアキャッチャー本体１１０ａ，１１０ｂは、４本のリブ１１２ａ，１１２ｂと、該リブ１１２ａ，１１２ｂを連結するリング状部材１１４ａ，１１４ｂとにより構成されて、排水口内に流入した毛髪等を捕捉する。
【特許文献１】特開平１０−３７２６３号公報
【発明の開示】
【発明が解決しようとする課題】
【０００３】
しかしながら、上記のようなヘアキャッチャー１００は、毛髪を車輪状のヘアキャッチャー本体１１０ａ，１１０ｂ上で受け止めたり、車輪状のヘアキャッチャー本体１１０ａ，１１０ｂのリブ１１２ａ，１１２ｂやリング状部材１１４ａ，１１４ｂに掛止たりして毛髪を捕捉するものであるが、必ずしも毛髪を十分に捕捉することができるものではなかった。
【０００４】
本発明はかかる問題点に鑑みてなされたものであり、本発明の課題は、排水口内に流入した毛髪を十分に捕捉することができる洗面台用排水栓を提供することにある。
【課題を解決するための手段】
【０００５】
本発明者らは、排水口内に流入した毛髪を十分に捕捉することができるヘアキャッチャーを見い出すべく鋭意研究した結果、毛髪を受け止めて捕捉する構造とするよりも、掛止して捕捉することがより多くの毛髪を捕捉できることを知見すると共に、より多くの毛髪を掛止することができるヘアキャッチャーの構造を見い出し、本発明を完成するに至った。
【０００６】
すなわち、本発明は、排水口を封水する封水部材と、該封水部材の下方に垂設された垂設ロッドと、該垂設ロッドに保持されたヘアキャッチャーとを備えた洗面台用排水栓であって、前記ヘアキャッチャーが、前記垂設ロッドが挿通される環状体と、該環状体の外周面から放射状に突出して設けられた複数のリブと、各リブに環状体の中心から一定の距離をもって配設され、間欠リングを構成するリング片とを有することを特徴とする洗面台用排水栓（請求項１）に関する。
【０００７】
また、本発明は、各リブに２以上のリング片が設けられ、複数の間欠リングを構成したことを特徴とする請求項１に記載の洗面台用排水栓（請求項２）や、リング片が掛止突起を有することを特徴とする請求項１又は２に記載の洗面台用排水栓（請求項３）や、ヘアキャッチャーの上方に、微生物の発育抑制物質を含有する固形薬剤を収容した薬剤収容部を備えたことを特徴とする請求項１〜３のいずれかに記載の洗面台用排水栓（請求項４）に関する。
【発明の効果】
【０００８】
本発明の洗面台用排水栓によれば、排水口内に流入した毛髪を十分に捕捉することができる。
【発明を実施するための最良の形態】
【０００９】
本発明の洗面台用排水栓としては、排水口を封水する封水部材と、該封水部材の下方に垂設された垂設ロッドと、該垂設ロッドに保持されたヘアキャッチャーとを備えた洗面台用排水栓であって、前記ヘアキャッチャーが、前記垂設ロッドが挿通される環状体と、該環状体の外周面から放射状に突出して設けられた複数のリブと、各リブに環状体の中心から一定の距離をもって配設され、間欠リングを構成するリング片とを有する洗面台用排水栓であれば、特に制限されるものではなく、本発明の洗面台用排水栓によれば、排水口内に流入した毛髪を十分に捕捉することができる。すなわち、本発明の洗面台用排水栓は、間欠リングを構成しているので、各リング片及びリブに毛髪を掛止でき、従来のようにリング状のヘアキャッチャーを備える洗面台用排水栓に比して、格段に毛髪を捕捉することができる。
【００１０】
本発明の洗面台用排水栓におけるヘアキャッチャーとしては、上記のように垂設ロッドに保持され、環状体、リブ及びリング片を有して間接リングが構成されていれば特に制限されるものではなく、垂直ロッドの中央部に保持されていてもよく、垂直ロッドの下端に保持されていてもよく、例えば、プラスチック等からなり、圧縮成形、射出成形、押出し成形等により製造される。
【００１１】
ヘアキャッチャーの環状体としては、垂設ロッドが挿通される開口を有していれば特に制限されるものではなく、開口は、垂設ロッドの形状に合わせて、円形や六角形、八角形等の多角形とすることができる。なお、垂設ロッドが挿通されるとは、環状体に挿入された垂設ロッドが下方まで突き抜けている状態のみならず、垂設ロッドの下端において垂設ロッドが挿入された状態を含む。
【００１２】
また、リブとしては、前記環状体の外周面から放射状に突出して設けられていれば特に制限されるものではなく、その形状としては、直線状又は湾曲状の円柱又は角柱状の棒状物が挙げられ、リブの数としては２〜１６程度であることが好ましく、４〜１２本程度であることがより好ましい。このリブは環状体と同一平面上になるように環状体の外周面に水平に突出して設けられてもよいし、斜め上方に突出して設けられてもよく、斜め下方に突出して設けられていてもよい。
【００１３】
また、リング片としては、例えば、直線状又は湾曲状の円柱又は角柱状の棒状物、直線状又は湾曲状の円柱又は角柱状の突出した掛止突起を有する突起棒状物、直線状又は湾曲状の板状物、突出した掛止突起を有する突起板状物等が挙げられ、突出した掛止突起を有する突起棒状物又は突出した掛止突起を有する板状物が、より多くの毛髪を掛止して捕捉できるので好ましい。また、リング片が板状物の場合、内部を縞状又は格子状として毛髪をより多く掛止できるようにすることもできる。かかるリング片は、各リブに１又は２以上設けて１又は２以上の間欠リングを構成することができ、複数の間欠リングを構成することが、より多くの毛髪を掛止して捕捉できるので好ましい。この間欠リングは、排水口内部の形状に合わせて平面視して円形であることが好ましいが、八角形等の多角形であってもよい。
【００１４】
本発明の洗面台用排水栓における封水部材としては、洗面台の排水口を封水することができる例えば平面視して円形のステンレス等からなる円盤部材が挙げられ、通常、下面にゴム等からなるシール部材を備える。また、前記垂設ロッドとしては、封水部材から下方に延びるステンレス等からなる断面円形又は角形の棒状部材が挙げられ、例えば、洗面台の蛇口付近に設けられたレバー等にと連動して排水口の開閉を可能としている。
【００１５】
また、本発明の洗面台用排水栓においては、ヘアキャッチャーに毛髪が把捉されると、その毛髪の影響により、ヘアキャチャーそのものやその周囲の排水管内壁に特にヌメリが発生しやすいことから、ヘアキャッチャーの上方に、微生物の発育抑制物質を含有する固形薬剤を収容した薬剤収容部を備えていることが好ましい。この薬剤収容部は、ヘアキャッチャーの上方に配置されていれば特に制限されるものではなく、その上面、側面、底面にスリットや孔を設けて、収納された薬剤成分が効果的に流出するように構成されることが好ましい。ヘアキャッチャーの上端と薬剤収容部の下端との距離としては、２〜３５ｍｍであることが好ましく、５〜１５ｍｍであることがより好ましい。ヘアキャッチャーの上端と薬剤収容部の下端との距離が２〜３５ｍｍであることにより、薬剤成分が十分にヘアキャッチャー全体に伝わりヘアキャッチャーのヌメリを効果的に防除することができ、５〜１５ｍｍであることによりヘアキャッチャーのヌメリをより効果的に防除することができる。具体的に、このような薬剤収容部を備えた洗面台用排水栓の構成としては、例えば、特願２００３−２０２７１７号に記載の洗面台用排水栓が挙げられる。
【００１６】
上記微生物の発育抑制物質を含有する固形薬剤としては、各種公知の殺菌剤、抗菌剤が使用可能であり、一般的な防黴剤又は抗細菌剤として知られている化合物や抗菌作用を有する天然精油類等であればどのようなものでも使用することができる。また、固形薬剤の形状としては、球状、錠剤状、円柱状、直方体状、角錐状、ドーナツ状等どのような形態でもよく、その大きさも薬剤収容部に収容しうる大きさであればどのようなものでもよい。固形薬剤の使用の形態としては、例えば、円柱状のものを１個用いる場合もあるが、小粒のものを多数使用することもできる。小粒のものを多数使用する場合、同種のものを用いるほか、例えば配合成分の異なる薬剤や溶解度が異なる薬剤等異種の複数の小粒の固形薬剤を用いることもできる。また、本発明における固形薬剤には、不織布、紙、フィルム等の透水性のシートや袋やチューブ等に収容されている錠剤等の他、これらに収容されている散剤も包含され、その他、スポンジ、樹脂発泡体等に担持されていてもよく、多孔質鉱物などに含浸されていてもよいが、不織布に収容されていることが特に好ましい。不織布の材質を選定することにより、薬剤成分の流出速度を適度な速度に調節することが可能となり、より効果的にヌメリを防除することができる。
【００１７】
以下、図面を参照しつつ、本発明の洗面台用排水栓を具体的に説明するが、本発明はこれに限定されるのもではない。
【００１８】
図１は本発明の第１実施形態に係る洗面台用排水栓の斜視図であり、図２は図１に示される洗面台用排水栓の縦断面図、図３は図１に示される洗面台用排水栓が洗面台に取り付けられた状態を示す図であり、図４は第１の実施形態に係る洗面台用排水栓の変形例の斜視図であり、図５は第１の実施形態に係る洗面台用排水栓の他の変形例の縦断面図である。
【００１９】
図１及び図２に示すように、本発明の第１実施形態に係る洗面台用排水栓１０は、排水口を封水する封水部材１２と、封水部材１２の下方に垂設された垂設ロッド１４と、垂設ロッド１４に保持されたヘアキャッチャー１６とを備えている。
【００２０】
封水部材１２は、平面視して円形のステンレスからなる円盤部材であって、その下部にプラスチックからなる間接部材１８を介してゴムからなるシール部材２０を備えている。垂設ロッド１４は、長さ１０センチ程度のステンレスからなる円形ロッドであって、封水部材１２の下方に、プラスチックからなる接合部材２２を介して垂設されると共に、その下部には錘部材２４を備えて洗面台本体と装脱着可能となっている。
【００２１】
ヘアキャッチャー１６は、平面視して略円形のプラスチックからなる部材であって、垂設ロッド１４が挿通される環状体２６と、環状体２６の外周面から放射状に突出して設けられた複数のリブ２８と、各リブ２８に環状体の中心から一定の距離をもって配設され、間欠リングを構成する第１リング片３０及び第２リング片３２とを有しており、垂設ロッド１４を環状体２６に挿通した状態で垂設ロッド１４に設けられた止め具３４によって垂設ロッド１４の中央部に保持される。
【００２２】
リブ２８は、四角柱状の棒状部材であって、環状体２６の外周面から水平に突出して放射状に１２本設けられている。かかるリブ２８の中央部に第１リング片３０が設けられ、先端部に第２リング片３２が設けられている。第１リング片３０は、内側に向かってやや湾曲したその両端に上方に突出した掛止突起３６を有した棒状部材であって、リブ２８の突出方向に対して直角方向に設置されている。第１リング片３０が掛止突起３６を有することにより、より多くの毛髪を掛止して捕捉することができる。第２リング片３２は、内側に向かってやや湾曲し、内部が格子状となった板状部材であって、第１リング片３０同様、リブ２８の突出方向に対して直角方向に設置されている。板状部材の内部が格子状となっていることにより、より多くの毛髪を掛止して捕捉することができる。かかるヘアキャッチャー１６においては、１２個の第１リング片３０が第１間欠リングを構成し、１２個の第２リング片３２が第２間欠リングを構成する。
【００２３】
以上のように構成された洗面台用排水栓１０は、図３に示すように、例えば、シャワー３８が備えられたヘアードレッサー４０に装備して使用される。洗面台用排水栓１０によれば、かかるヘアードレッサー４０のように、大量の毛髪が排水口内部に流入される洗面台であっても、十分に毛髪を捕捉できるので非常に有用である。
【００２４】
また、上記第１実施形態における洗面台用排水栓１０の変形例として、図４に示すように、洗面台用排水栓１０の断面四角形のリブ２８を断面三角形のリブ２９とした洗面台用排水栓１０ａを挙げることができ、断面三角形とすることにより、痰の引っかかりを防止することができる。さらに、図５に示すように、洗面台の構造によっては、垂説ロッド１４がヘアキャッチャー１６の下方に延伸しないような、ヘアキャッチャー１６が垂設ロッド１４の下端に挿着された形態の洗面台用排水栓１０ｂであってもよい。
【００２５】
次に、本発明の第２実施形態に係る洗面台用排水栓について説明する。図６は、本発明の第２実施形態に係る洗面台用排水栓の斜視図である。
【００２６】
図６に示すように、本発明の第２実施形態に係る洗面台用排水栓５０は、排水口を封水する封水部材５２と、封水部材５２の下方に設けられ、微生物の発育抑制物質を含有する固形薬剤５４を収容した薬剤収容部５６と、薬剤収容部５６の下部から垂設された垂設ロッド５８と、垂設ロッド５８に保持されたヘアキャッチャー６０とを備えている。
【００２７】
封水部材５２は、平面視して円形のステンレスからなる円盤部材であって、その下部にプラスチックからなる間接部材６２を介してゴムからなるシール部材７０を備えている。シール部材７０の下面には、その内周面に、薬剤収容部の上部内周に形成されたねじ山に対応するねじ溝が形成された螺着部材７２が設けられ、かかる螺着部材７２に薬剤収容部５６が固定される。したがって、薬剤収容部５６に収容された固形薬剤５４が消費された場合には、螺着部材７２より上方部分を取り外して固形薬剤５４のみを交換することができる。また、薬剤収容部５６の下部から垂設された垂設ロッド５８は、長さ１０センチ程度のステンレスからなる円形ロッドであって、その下部には錘部材７４を備えて洗面台本体と装脱着可能となっている。
【００２８】
ヘアキャッチャー６０は、平面視して略円形のプラスチックからなる部材であって、垂設ロッド５８が挿通される環状体７６と、環状体７６の外周面から放射状に突出して設けられた複数のリブ７８と、各リブ７８に環状体７６の中心から一定の距離をもって配設され、間欠リングを構成する第１リング片８０及び第２リング片８２とを有しており、垂設ロッド５８を環状体７６に挿通した状態で垂設ロッド５８に設けられた止め具８４によって垂設ロッド５８の中央部に保持される。
【００２９】
リブ７８は、四角柱状の棒状部材であって、環状体７６の外周面から水平に突出して放射状に１２本設けられている。かかるリブ７８の中央部に第１リング片８０が設けられ、先端部に第２リング片８２が設けられている。第１リング片８０は、内側に向かってやや湾曲したその両端に上方に突出した掛止突起８６を有した棒状部材であって、リブ７８の突出方向に対して直角方向に設置されている。第２リング片８２も、第１リング片８０と同様に、内側に向かってやや湾曲したその両端に上方に突出した掛止突起８８を有した、第１リング片８２よりもやや長い棒状部材であって、リブ７８の突出方向に対して直角方向に設置されている。第１リング片８０及び第２リング片８２が掛止突起を有することにより、より多くの毛髪を掛止して捕捉することができる。かかるヘアキャッチャー５０においては、１２個の第１リング片８０が第１間欠リングを構成し、１２個の第２リング片８２が第２間欠リングを構成する。
【００３０】
以上のように構成された洗面台用排水栓５０は、図３に示すように、例えば、シャワー３８が備えられたヘアードレッサー４０に装備して使用される。洗面台用排水栓５０によれば、かかるヘアードレッサーのように、大量の毛髪が排水口内部に流入される洗面台であっても、十分に毛髪を捕捉できるので非常に有用である。
【００３１】
次に、第３実施形態に係る洗面台用排水栓８０について説明する。なお、上記第１実施形態に係る洗面台用排水栓と同一の部材については同一符号を付して説明を省略する。図７は、第３実施形態に係る洗面台用排水栓の縦断面図である。
【００３２】
図７に示すように、本発明の第３実施形態に係る洗面台用排水栓８０は、排水口を封水する封水部材１２と、封水部材１２の下方に垂設された垂設ロッド１４と、垂設ロッド１４に保持されたヘアキャッチャー１６とを備えている。
【００３３】
ヘアキャッチャー８２は、平面視して略円形のプラスチックからなる部材であって、垂設ロッド１４が挿通される環状体８４と、環状体８４の外周面から放射状に突出して設けられた複数のリブ８６と、各リブ８６に環状体８４の中心から一定の距離をもって配設され、間欠リングを構成するリング片８８とを有しており、垂設ロッド１４を環状体８４に挿通した状態で垂設ロッド１４に設けられた止め具９０によって垂設ロッド１４の中央部に保持される。
【００３４】
リブ８６は、四角柱状の棒状部材であって、環状体２６の外周面から斜め上方（３０〜５０°程度）に突出して放射状に８本設けられている。かかるリブ８６の中央部にリング片８８が設けられている。リング片８８は、内側に向かってやや湾曲したその両端に上方に突出した掛止突起を有した棒状部材であって、リブ８６の突出方向に対して直角方向に設置されている。かかるヘアキャッチャー８２においては、８個のリング片８８が間欠リングを構成する。
【００３５】
以上のように構成された洗面台用排水栓８０は、図３に示すように、例えば、シャワー３８が備えられたヘアードレッサー４０に装備して使用される。洗面台用排水栓８０によれば、かかるヘアードレッサー４０のように、大量の毛髪が排水口内部に流入される洗面台であっても、十分に毛髪を捕捉できるので非常に有用である。
【図面の簡単な説明】
【００３６】
【図１】本発明の第１実施形態に係る洗面台用排水栓の斜視図である。
【図２】図１に示される洗面台用排水栓の縦断面図である。
【図３】図１に示される洗面台用排水栓が洗面台に取り付けられた状態を示す図である。
【図４】第１の実施形態に係る洗面台用排水栓の変形例の斜視図である。
【図５】第１の実施形態に係る洗面台用排水栓の他の変形例の縦断面図である。
【図６】本発明の第２実施形態に係る洗面台用排水栓の斜視図である。
【図７】本発明の第３実施形態に係る洗面台用排水栓の縦断面図である。
【図８】従来の洗面台用排水栓の斜視図である。
【符号の説明】
【００３７】
１０，１０ａ，１０ｂ，５０，８０  …  洗面台用排水栓
１２，５２  …  封水部材
１４，５８  …  垂設ロッド
１６，６０，８２  …  ヘアキャッチャー
１８，６２  …  間接部材
２０，７０  …  シール部材
２２  …  接合部材
２４，７４  …  錘部材
２６，７６，８４  …  環状体
２８，２９，７８，８６  …  リブ
３０，８０  …  第１リング片
３２，８２  …  第２リング片
３４，８４，９０  …  止め具
３６，８６  …  掛止突起
３８  …  シャワー
４０  …  ヘアードレッサー
５４  …  固形薬剤
５６  …  薬剤収容部
７２  …  螺着部材
８８  …  リング片
１００  …  ヘアキャッチャー
１０２  …  洗面台用排水栓
１０４  …  封水部材
１０６  …  垂設ロッド
１０８  …  筒状体
１１０ａ，１１０ｂ  …  ヘアキャッチャー本体
１１２ａ，１１２ｂ  …  リブ
１１４ａ，１１４ｂ  …  リング状部材
【図１】
2005074040.tif 000003
【図２】
2005074040.tif 000004
【図３】
2005074040.tif 000005
【図４】
2005074040.tif 000006
【図５】
2005074040.tif 000007
【図６】
2005074040.tif 000008
【図７】
2005074040.tif 000009
【図８】
2005074040.tif 000010